(57)【要約】【課題】金属製の平板で構成されるドロップイン式コンロ用の天板において、天板の前側にうっかりと手が触れて熱い思いをすることを可及的に回避できるようにする。【解決手段】金属製の平板で構成される天板主体３１の前縁に沿う樹脂製の保護体３２を設け、天板主体３１の前縁に形成した雄型係合部３１３と保護体３２に形成した雌型係合部３２１との嵌め合いにより天板主体３１に保護体３２を連結する。また、保護体３２に、天板主体３１の上面の前縁寄りの部分に重なるカバー部３２３を延出する。天板主体３１に、熱源用操作部８の操作軸８ａを挿通する操作孔３１２を開設する場合は、カバー部３２３を天板主体３１の操作孔形成領域に亘って重なるように形成する。また、天板の下面前縁側に取付けるシール部材４Ｆを天板主体３１と保護体３２との連結部材に兼用できるように、天板主体３１と保護体３２との両者に跨るように固着する。【選択図】図３
2005326126.tif 000002
【特許請求の範囲】
【請求項１】
コンロ本体をカウンタトップに開設したコンロ開口に落とし込むようにして配置するドロップイン式コンロ用の天板であって、
金属製平板で形成される天板主体と、
天板主体の前縁に沿わせて配置される樹脂製の保護体とで構成されることを特徴とするドロップイン式コンロ用天板。
【請求項２】
前記天板主体の前縁に雄型と雌型の一方の係合部が形成され、前記保護体に雄型と雌型の他方の係合部が形成され、両係合部の嵌め合いにより天板主体に保護体が連結されていることを特徴とする請求項１記載のドロップイン式コンロ用天板。
【請求項３】
前記保護体は、前記天板主体の前縁より後方に張り出して天板主体の上面の前縁寄りの部分に重なるカバー部を有することを特徴とする請求項１または２記載のドロップイン式コンロ用天板。
【請求項４】
請求項３記載のドロップイン式コンロ用天板であって、前記天板主体の前縁寄りの部分に、コンロ本体内に配置した熱源用操作部の操作軸を挿通する操作孔を形成するものにおいて、
前記カバー部は、天板主体の操作孔の形成領域に重なるように形成され、操作孔の形成領域に重なるカバー部の部分に、操作孔と同心の前記操作軸を挿通する透孔が形成されることを特徴とするドロップイン式コンロ用天板。
【請求項５】
前記カバー部に、前記透孔の開口縁から上方に立ち上る筒状突起が形成されていることを特徴とする請求項４記載のドロップイン式コンロ用天板。
【請求項６】
前記カバー部に、前記透孔の開口縁から垂下して前記操作孔に嵌合する筒状の嵌合部が形成されていることを特徴とする請求項４または５記載のドロップイン式コンロ用天板。
【請求項７】
請求項１〜６の何れか１項に記載のドロップイン式コンロ用天板であって、天板をその下面に取付けたシール部材を介してカウンタトップに着座させるものにおいて、
天板の下面前縁側に取り付けられるシール部材は、前記天板主体と前記保護体との両者に跨るようにして天板主体及び保護体の下面に固着されている特徴とするドロップイン式コンロ用天板。
【請求項８】
請求項１〜６の何れか１項に記載のドロップイン式コンロ用天板であって、天板をその下面に取付けたシール部材を介してカウンタトップに着座させるものにおいて、
天板の下面前縁側に取付けられるシール部材よりも前方に位置する前記保護体の部分の下面を、カウンタトップに当接しない範囲で、シール部材の上面よりも下方に膨出させることを特徴とするドロップイン式コンロ用天板。
【発明の詳細な説明】
【技術分野】
【０００１】
本発明は、コンロ本体をカウンタトップに開設したコンロ開口に落とし込むようにして配置するドロップイン式コンロ用の天板に関し、特に金属製平板で形成される天板に関する。
【背景技術】
【０００２】
従来、コンロ用天板は、一般的に、プレス成形された鋼板で形成されている。このような鋼板製の天板は、剛性確保のため、外周縁部やバーナ用開口の開口縁部等が他部より隆起する形状に形成される(例えば、特許文献１参照。)。その結果、天板がフラットにならず、また、重厚な感じも得られず、ユーザに安っぽい感じを与えてしまう。
【０００３】
そこで、本願出願人は、先に、特願２００３−４０５２３号により、肉厚の金属製(例えば、アルミニウム製)の平板で形成されるコンロ用天板を提案している。このものでは、天板を構成する平板自体が高剛性であるため、天板に剛性アップ用の隆起部を形成する必要がなく、天板がフラットになり、且つ、視覚的に重厚な感じになり、高級感が得られる。
【０００４】
然し、上記先願の天板は熱伝導率が高いため、熱源の近傍の天板の部分からの熱伝導で天板の前側の部分の温度が高くなり、更に、この天板は肉厚で熱容量が大きいため、コンロ使用後、天板の前側部分の温度が低下するまでには時間がかかる。従って、天板の前側部分に手を触れたときに、使用者に熱い思いをさせてしまう可能性がある。
【特許文献１】特開２００２−２５７３５８号公報
【発明の開示】
【発明が解決しようとする課題】
【０００５】
本発明は、以上の点に鑑み、天板の前側部分に手を触れて使用者に熱い思いをさせることを可及的に回避できるようにした上記先願の改良コンロ用天板を提供することをその課題としている。
【課題を解決するための手段】
【０００６】
上記課題を解決するために、本発明は、コンロ本体をカウンタトップに開設したコンロ開口に落とし込むようにして配置するドロップイン式コンロ用の天板であって、金属製平板で形成される天板主体と、天板主体の前縁に沿わせて配置される樹脂製の保護体とで構成されることを特徴とする。
【０００７】
本発明によれば、うっかりと手が触れやすい天板の前側の部分は保護体で構成されることになり、天板主体そのものに前側からうっかりと手が触れることを有効に防止できる。そして、保護体は樹脂製であって、金属製の天板主体に比し熱伝導率が低いため、保護体に手が触れても左程熱くはない。また、樹脂材（保護体）は、金属材（天板主体）と同じ温度であっても、金属材と比べ感じる熱さの程度が低くなる。従って、天板の前側部分に手を触れて使用者に熱い思いをさせることを可及的に回避できる。
【０００８】
尚、天板主体への保護体の連結手法として、保護体を前方から天板主体にねじ止めすることも考えられるが、これではねじが外観に現われ、体裁を損なう。これに対し、天板主体の前縁に雄型と雌型の一方の係合部を形成し、保護体に雄型と雌型の他方の係合部を形成して、両係合部の嵌め合いにより天板主体に保護体を連結するように構成すれば、連結部（係合部）が外観に現われず、体裁が良好になる。
【０００９】
また、保護体は、天板主体の前縁より後方に張り出して天板主体の上面の前縁寄りの部分に重なるカバー部を有することが望ましい。これによれば、天板主体の上面に手が触れることをカバー部により一層効果的に防止できる。更に、天板主体の前縁の端面とこれに対向する保護体の端面との間に隙間を生じても、この隙間はカバー部で覆われて外観に現われず、体裁が良好に保たれる。しかも、天板の上面に、カバー部の後縁による段差が形成され、煮こぼれを生じたときに、煮こぼれ汁が天板上から天板の前方に流れて出て、カウンタトップの前縁から垂れ落ちることをこの段差によって防止できる効果もある。
【００１０】
また、天板上で熱源の操作を行い得られるように、天板主体の前縁寄りの部分に、コンロ本体内に配置した熱源用操作部の操作軸を挿通する操作孔を形成する場合、天板上に落下した煮こぼれ汁が操作孔からコンロ本体内に流入することを防止することが必要になる。ここで、前記カバー部を、天板主体の操作孔の形成領域に重なるように形成しておけば、煮こぼれ汁が操作孔の形成領域にまで流れることをカバー部の後縁による段差で抑制でき、煮こぼれ汁の操作孔への流入防止に役立つ。
【００１１】
尚、この場合、操作孔の形成部分に重なるカバー部の部分に透孔を形成し、前記操作軸を操作孔及び透孔を通して天板上に突出させることが必要になる。従って、多量の煮こぼれを生じ、カバー部の後縁による段差を乗り越えてカバー部上に煮こぼれ汁が流れた場合、透孔から操作孔に煮こぼれ汁が流入する可能性がある。ここで、透孔の開口縁から上方に立ち上る筒状突起を形成しておけば、筒状突起が透孔を囲う堤部として機能し、透孔からの煮こぼれ汁の流入を防止でき、有利である。
【００１２】
更に、カバー部に、透孔の開口縁から垂下して操作孔に嵌合する筒状の嵌合部を形成しておけば、この嵌合部により保護体を天板主体に対し位置決めして係止でき、有利である。
【００１３】
また、ドロップイン式コンロでは、カウンタトップ上の水等がカウンタトップと天板との間の隙間からコンロ開口に向けて侵入することを防止するため、天板をその下面に取付けたシール部材を介してカウンタトップに着座させることがある。この場合、天板の下面前縁側に取り付けられるシール部材を、天板主体と保護体との両者に跨るようにして天板主体及び保護体の下面に固着しておけば、天板主体と保護体との連結がシール部材により下面でも確保され、有利である。
【００１４】
また、上記の如く天板をシール部材を介してカウンタトップに着座させる場合、天板の下面前縁側に取り付けられるシール部材が前方から見えやすくなり、体裁を損なう。この場合、天板の下面前縁側に取付けられるシール部材よりも前方に位置する保護体の部分の下面を、カウンタトップに当接しない範囲で、シール部材の上面よりも下方に膨出させれば、シール部材が前方から見えにくくなり、体裁を良好に保つことができる。
【発明を実施するための最良の形態】
【００１５】
図１は、システムキッチンのカウンタトップ１(図３参照)に組み込むドロップイン式コンロを示している。このコンロは、上面を開放面とする箱形のコンロ本体２を備えている。コンロ本体２の上縁には、図３に示す如く、外曲げフランジ２ａが形成されており、コンロ本体２をカウンタトップ１に開設したコンロ開口１ａに落とし込んだ状態で、外曲げフランジ２ａをコンロ開口１ａの開口縁部に掛止して、コンロ本体２をカウンタトップ１に吊持させている。そして、天板３によりコンロ本体２を外曲げフランジ２ａに亘って上方から覆うようにしている。天板３の下面には、前縁、左右の側縁および後縁に沿わせて夫々シール部材４Ｆ，４Ｓ，４Ｒが取付けられており（図２参照）、カウンタトップ１のコンロ開口１ａの開口縁部に掛止されるコンロ本体２の外曲げフランジ２ａの外側において、天板３をシール部材４Ｆ，４Ｓ，４Ｒを介してカウンタトップ１に着座させている（図３参照）。これにより、カウンタトップ１上の水等がコンロ開口１ａやコンロ本体２に侵入することが防止される。尚、本実施形態では、シール部材が、前縁側のシール部材４Ｆと、左右の側縁側のシール部材４Ｓ，４Ｓと、後縁側のシール部材４Ｒとに４分割されているが、これらを一体化した環状のシール部材を用いることも勿論可能である。
【００１６】
天板３は、金属製、例えば、アルミニウム製の比較的肉厚(例えば、厚さ６ｍｍ)の平板で形成された天板主体３１と、天板主体３１の前縁に沿わせて配置される樹脂製の保護体３２とで構成されている。保護体３２を形成する樹脂材料は、難燃性の尺度であるＵＬ９４による等級がＶ−０以上のＰＥＴ−ＰＢＴ等の耐熱性樹脂であることが望ましい。天板主体３１と保護体３２の連結構造については後で詳述する。
【００１７】
コンロ本体２内には、左右と中間部後方とに位置させて、熱源たる３個のバーナ５が配置されている。天板主体３１には、図２に示す如く、これらバーナ５を臨ませる３個のバーナ用開口３１１が開設されている。そして、天板主体３１上に、各バーナ用開口３１１を囲うようにして五徳６を載置している。また、天板３上に、前縁寄りの中央部に位置させて、３個のバーナ５に対応する３個の操作摘み７を配置している。各操作摘み７は、図３に示されているように、コンロ本体２に設けた熱源用操作部たる各バーナ５用のバルブユニット８から上方にのびる操作軸８ａに連結されている。そして、天板主体３１の前縁寄りの部分には、３個の操作摘み７に対応させて、夫々操作軸８ａを挿通する３個の操作孔３１２が開設されている（図３参照）。
【００１８】
ところで、天板主体３１は熱伝導率が高いため、コンロ使用時にバーナ用開口３１１の周辺部分からの熱伝導で天板主体３１の前側部分の温度が高くなり、更に、天板主体３１は肉厚で熱容量が大きいため、コンロ使用後（バーナ５消火後）、天板主体３１の前側部分の温度が低下するまでには時間がかかる。コンロ使用後に天板３の前側の部分にうっかり手を触れてしまうことは間々あり、天板主体３１に手を触れると熱い思いをする。然し、本実施形態では、天板主体３１の前縁に沿って保護体３２が配置されているため、天板主体３１そのものに前側からうっかりと手が触れることを有効に防止できる。そして、保護体３２は樹脂製であって、天板主体３１に比し熱伝導率が低く、且つ、感じる熱さの程度が低くなるため、保護体３２に手が触れても左程熱くは感じない。従って、天板３の前側部分に手を触れて使用者に熱い思いをさせることを可及的に回避できる。
【００１９】
図３、図４を参照して、天板主体３１の前縁には、前方に突出する雄型の係合部３１３が形成され、保護体３２には、雄型の係合部３１３の断面形状に合致する断面形状の溝から成る雌型の係合部３２１が形成されている。そして、両係合部３１３，３２１の嵌め合いにより天板主体３１に保護体３２が連結される。ここで、雄型係合部３１３の先端には基端に比し上下方向幅を大きくした膨大部３１３ａが形成され、保護体３２が前方に抜け止めされるようにしている。本実施形態で膨大部３１３ａの断面形状は鏃状であるが、方形等の他の形状であっても良い。また、天板主体３１の前縁に雌型係合部を形成し、これに保護体３２に形成した雄型係合部を係合させるようにしても良い。何れにしても、雄型と雌型の係合部３１３，３２１の嵌め合いで保護体３２を天板主体３１に連結することにより、保護体３２と天板主体３１との連結部が外観に現われず、体裁が良好になる。
【００２０】
ところで、上記の如く雄型係合部３１３に膨大部３１３ａを形成すると、保護体３２を天板主体３１に前側から組み付けることは困難になる。そこで、保護体３２を天板主体３１に対し横方向からスライドさせて、雄型係合部３１３に雌型係合部３２１を係合させるようにしている。そのため、天板主体３１に対する保護体３２の横ずれを防止することが必要になる。この場合、雄型係合部３１３の適所に上下方向のねじ孔を形成し、このねじ孔を利用して保護体３２を下方から雄型係合部３１３にねじ止めすることにより、保護体３２の横ずれを防止することが考えられるが、これでは部品点数及び工数が増加して、コストアップの要因になる。
【００２１】
そこで、本実施形態では、天板３の下面前縁側に取付けられるシール部材４Ｆを、図３に示す如く、天板主体３１と保護体３２との両者に跨るようにして天板主体３１及び保護体３２の下面に接着剤で固着している。これによれば、前縁側のシール部材４Ｆを介して保護体３２を天板主体３１に連結して、天板主体３１に対する保護体３２の横ずれを防止することができ、コストダウンを図れる。
【００２２】
また、本実施形態では、前縁側のシール部材４Ｆよりも前方に位置する保護体３２の部分の下面を、このシール部材４Ｆの上面よりも下方に膨出させている。これによれば、保護体３２の下面の膨出部３２２により前縁側のシール部材４Ｆが目隠しされ、前方から前縁側のシール部材４Ｆが見えにくくなって、体裁が良好に保たれる。尚、前縁側のシール部材４Ｆがカウンタトップ１に着座して、シール性が確実に確保されるように、膨出部３２２は、カウンタトップ１に当接しないように形成されている。
【００２３】
また、前縁側のシール部材４Ｆの端末が横方向に露出すると体裁を損なうため、図４に示す如く、左右の側縁側のシール部材４Ｓを保護体３２の端部下面に入り込むように取付け、前縁側のシール部材４Ｆの端末を側縁側のシール部材４Ｓで横方向外方から覆うようにしている。
【００２４】
また、保護体３２には、天板主体３１の前縁より後方に張り出して天板主体３１の上面の前縁寄りの部分に重なるカバー部３２３が一体に形成されている。これによれば、天板主体３１の上面に手が触れることをカバー部３２３により一層効果的に防止できる。更に、天板主体３１の前縁の端面とこれに対向する保護体３２の端面との間に隙間を生じても、この隙間はカバー部３２３で覆われて外観に現われず、体裁が良好に保たれる。また、煮こぼれを生じたときに、煮こぼれ汁が天板３上から天板３の前方に流れて出ると、流れ出た煮こぼれ汁がカウンタトップ１の前縁から垂れ落ちて床を汚すことになる。然し、上記の如くカバー部３２３を形成すると、天板３の上面に、カバー部３２３の後縁による段差３２４が形成され、煮こぼれ汁が天板３の前方に流れて出ることをこの段差３２４によって防止することが可能になり、煮こぼれ汁が床に垂れ落ちることを有効に防止できる。
【００２５】
更に、本実施形態では、カバー部３２３を、天板主体３１の上記した操作孔３１２の形成領域に重なるように形成し、操作孔３１２の形成領域に重なるカバー部３２３の部分に透孔３２５を開設して、操作軸８ａを操作孔３１２及び透孔３２５を通して天板３上に突出させるようにしている。このようにカバー部３２３を操作孔３１２の形成領域に重なるように形成すると、煮こぼれ汁が操作孔３１２の形成領域にまで流れることをカバー部３２３の後縁による段差３２４で抑制できる。そのため、操作孔３１２に、煮こぼれ汁の流入を阻止するパッキンを別途装着せずに済み、コストダウンを図れる。
【００２６】
尚、多量の煮こぼれを生じ、カバー部３２３の後縁による段差３２４を乗り越えてカバー部３２３上に煮こぼれ汁が流れた場合、透孔３２５から操作孔３１２を介してコンロ本体２内に煮こぼれ汁が流入する可能性がある。そこで、本実施形態では、カバー部３２３に、透孔３２５の開口縁から上方に立ち上る筒状突起３２６を形成している。これによれば、筒状突起３２６が透孔３２５を囲う堤部として機能し、透孔３２５からの煮こぼれ汁の流入を確実に防止できる。
【００２７】
また、カバー部３２３には、透孔３２５の開口縁から垂下して操作孔３１２に嵌合する筒状の嵌合部３２７が形成されている。そのため、保護体３２は、この嵌合部３２７によっても天板主体３１に対し位置決めして係止されることになり、天板主体３１に対する保護体３２の連結強度が高められる。
【００２８】
ところで、天板３上にロゴマーク等の標識を付すことがあるが、天板３が金属製の平板だけで構成されている場合には、平板の上面に型押しにより標識を刻印することが考えられる。然し、これでは、標識が窪みになって、そこに汚れが溜まり易く、体裁を損なう。また、平板の上面に標識を印刷したフィルムを貼着することも考えられるが、これでは、清掃中にフィルムが剥がれることがあり、好ましくない。そこで、本実施形態では、保護体３２の上面に、断面凸形の標識３２８を一体成形している。これによれば、標識３２８に汚れが溜まりやすくなったり、標識が剥がれるようなことがなく、有利である。更に、保護体３２は樹脂製であるため、樹脂を着色することにより多彩なカラーバリエーションが可能になる利点もある。
【００２９】
尚、上記実施形態では、カバー部３２３を天板主体３１の操作孔３１２の形成領域に重なるように形成しているが、操作孔３１２の形成領域を避けるようにカバー部３２３を形成することも可能であり、更には、カバー部３２３を省略することも可能である。また、前縁側のシール部材４Ｆを、天板主体３１と保護体３２との両者に跨らせずに、天板主体３１と保護体３２の一方の下面に固着することも可能である。
【００３０】
また、上記実施形態では、保護体３２を天板主体３１に対し横方向からスライドさせて、雄型係合部３１３に雌型係合部３２１を係合させているが、これに限るものではない。例えば、図５に示す第２実施形態の如く、天板主体３１の前縁に、その横方向の端部に達しないように雄型係合部３１３を形成し、保護部材３２に袋穴状の雌型係合部３２１を形成して、保護体３２を天板主体３１に対し前方から押し込むことにより、雄型係合部３１３に雌型係合部３２１を係合させることも可能である。この場合には、雄型係合部３１３が横方向に露出せず、体裁が良好になる。
【００３１】
但し、このものでは、保護体３２の前方からの押し込みを可能にするために、雄型係合部３１３の先端の膨大部３１３ａの上下方向幅を比較的小さくするか、膨大部３１３ａを省略する必要があり、保護体３２が前方に抜けやすくなる。この場合、上記実施形態と同様に、前縁側のシール部材を天板主体３１と保護体３２との両者に跨るようにして天板主体３１及び保護体３２の下面に固着し、或いは、カバー部３２３に操作孔に対する嵌合部を形成しておくことにより、保護体３２が天板主体３１から前方に抜けることを防止できる。尚、雄型係合部３１３に保護体３２を下方からねじ止めして、保護体３２を抜け止めすることも可能である。
【図面の簡単な説明】
【００３２】
【図１】本発明の第１実施形態の天板を具備するコンロを示す斜視図。
【図２】第１実施形態の天板の平面図。
【図３】図１のＩＩＩ−ＩＩＩ線で切断した拡大切断面図。
【図４】第１実施形態の天板の要部の下方から見た斜視図。
【図５】第２実施形態の天板の要部の分解状態の斜視図。
【符号の説明】
【００３３】
１…カウンタトップ、１ａ…コンロ開口、２…コンロ本体、３…天板、３１天板主体、３１２…操作孔、３１３…雄型係合部、３２…保護体、３２１…雌型係合部、３２２…保護体下面の膨出部、３２３…カバー部、３２５…透孔、３２６…筒状突起、３２７…嵌合部、４Ｆ…前縁側のシール部材、８…バルブユニット（熱源用操作部）、８ａ…操作軸。
【図１】
2005326126.tif 000003
【図２】
2005326126.tif 000004
【図３】
2005326126.tif 000005
【図４】
2005326126.tif 000006
【図５】
2005326126.tif 000007